(57)【要約】【課題】本発明は除湿装置に関するもので、除湿能力を向上させることが課題である。【解決手段】循環風路１３は、除湿ロータ１０の放湿領域１０ｂと、放湿領域１０ｂの風上側に設けた発熱部１４と、放湿領域１０ｂの風下側に設けた熱交換器１５と、循環風路１３内の空気を循環させる循環送風機１６とを有し、放湿領域１０ｂと熱交換器１５とを連通する連通路２４に整流板２５を設けたものであり、除湿能力を向上させることができるものである。【選択図】図４
2019147118.tif 000002
【特許請求の範囲】
【請求項１】
吸込口と吹出口を有する本体ケースと、
前記本体ケース内に設けられ、吸湿領域と放湿領域を有する除湿ロータと、
前記除湿ロータを回転させるモータと、
前記本体ケースの前記吸込口から吸込んだ空気を、除湿風路により、前記除湿ロータの前記吸湿領域を通過後、前記吹出口から前記本体ケース外に排気する送風機と、
前記本体ケース内に設けられた循環風路とを備え、
前記循環風路は、
前記除湿ロータの前記放湿領域と、
前記放湿領域の風上側に設けた発熱部と、
前記放湿領域の風下側に設けた熱交換器と、
前記循環風路内の空気を循環させる循環送風機とを有し、
前記放湿領域と前記熱交換器とを連通する連通路に整流板を設けたことを特徴とする除湿装置。
【請求項２】
前記整流板は、上下方向及び送風方向に延びた平板であることを特徴とする請求項１に記載の除湿装置。
【請求項３】
前記連通路は、四角筒形状であり、
前記整流板は、前記連通路における上面と下面とを連結し、
前記連通路は、前記吸込口に対向して配置され、前記連通路の下面には、前記吸込口から吸い込まれた空気が当たることを特徴とする請求項１または２に記載の除湿装置。
【発明の詳細な説明】
【技術分野】
【０００１】
本発明は除湿装置に関するものである。
【背景技術】
【０００２】
従来、この種の除湿装置は、短辺側と長辺側を有する水平断面形状の本体ケース内に、吸込口から吸気して吹出口から排気するファンと、ファンが供給する空気から吸湿するロータと、ロータを回転させる駆動手段と、ロータの一部に再生空気を循環させる循環経路および循環ファンと、循環経路においてロータから水分を放出させるヒーターと、ロータが放出した水分を含んだ再生空気をファンが供給する空気で冷却して凝縮させる凝縮器とを備えている。吸込口から吸引した空気がロータと凝縮器に分かれて本体ケース内を概略短辺方向に流れファンに吸込まれるようにロータと凝縮器を本体ケース内の長辺方向に並べて配設したことを特徴とした除湿装置が知られている（例えば、特許文献１参照）。
【先行技術文献】
【特許文献】
【０００３】
【特許文献１】特開２００７−９８２６４号公報
【発明の概要】
【発明が解決しようとする課題】
【０００４】
このような従来の除湿装置における課題は、除湿能力を向上させることである。
【０００５】
すなわち、従来の物においては、循環経路において、凝縮器での熱交換が不足した場合に、循環風路を流れる水蒸気の十分な凝縮が行われず、結果的に除湿能力の低下を招くということであった。
【０００６】
そこで本発明は、上記従来の課題を解決するものであり、循環経路での熱交換を促進し、除湿能力を向上させることを目的とした除湿装置を提供することを目的とする。
【課題を解決するための手段】
【０００７】
そして、この目的を達成するために、本発明は、吸込口と吹出口を有する本体ケースと、前記本体ケース内に設けられ、吸湿領域と放湿領域を有する除湿ロータと、前記除湿ロータを回転させるモータと、前記本体ケースの前記吸込口から吸込んだ空気を、除湿風路により、前記除湿ロータの前記吸湿領域を通過後、前記吹出口から前記本体ケース外に排気する送風機と、前記本体ケース内に設けられた循環風路とを備え、前記循環風路は、前記除湿ロータの前記放湿領域と、前記放湿領域の風上側に設けた発熱部と、前記放湿領域の風下側に設けた熱交換器と、前記循環風路内の空気を循環させる循環送風機とを有し、前記放湿領域と前記熱交換器とを連通する連通路に整流板を設けたものであり、これにより所期の目的を達成するものである。
【発明の効果】
【０００８】
本発明によれば、整流板によって、熱交換器に流入する循環風路内の空気が整流され、熱交換器に流れ込み易くなる。更に、水分を多く含んだ空気が、整流板に接触することによって、整流されるときに、整流板で結露するので、除湿効率を向上させることができる。
【図面の簡単な説明】
【０００９】
【図１】本発明の実施の形態における除湿装置の斜視図
【図２】同除湿装置の分解斜視図
【図３】同除湿装置の概略断面図
【図４】同除湿装置の斜視断面図
【発明を実施するための形態】
【００１０】
以下、本発明の実施の形態について図面を参照しながら説明する。
【００１１】
（実施の形態１）
図１は本発明の実施の形態における除湿装置の斜視図であり、図２は概略構成を示す分解斜視図を、図３には水平面における概略断面図を示す。
【００１２】
図１、図２、図３に示すように、本実施形態の除湿装置は、縦長箱形状の本体ケース１の前面に吸込口２を設け、本体ケース１の上面の前面側には操作部３を、本体ケース１の上面の背面側には吹出口４を有している。使用者は、操作部３を操作することで除湿装置の操作および運転モードの確認をすることができる。吹出口４の上方には、回動自在なルーバー５を備えている。本体ケース１の背面側下方には、貯水部６が出没自在に設けられており、本体ケース１内で生成された除湿水を貯水する。
【００１３】
本体ケース１内には、除湿ロータ部７と、再生ユニット８と、送風機９とを備えている。
【００１４】
除湿ロータ部７は、除湿ロータ１０と、支持枠１１と、モータ１２とを有している。
【００１５】
除湿ロータ１０は、円板形状で、回転軸が水平方向に延びるように、支持枠１１に回動自在に設けられている。除湿ロータ１０は、吸着材が担持された軸方向に通風可能なハニカム形状で構成されており、この吸着材は、晒される空気の相対湿度が高ければ多くの水分を保持でき、相対湿度が低くなると保持可能な水分量が減少する特性を有している。このように、相対湿度の異なる複数の空気との接触を繰り返せば、各々の相対湿度における吸着材の保持可能な水分量の差に応じて水分の吸脱着が行われることになる。除湿ロータは、空気中の水分を除湿ロータ１０に吸着する吸湿領域１０ａと、除湿ロータ１０に吸着した水分を放出する放湿領域１０ｂとを有する。除湿ロータ１０の外周には、多数の歯１０ｃを有している。
【００１６】
支持枠１１は、本体ケース１における前面側と背面側とを仕切るように配置され、中央部には、円形の開口１１ａを有している。除湿ロータ１０は、本体ケース１における背面と支持枠１１との間に配置され、支持枠１１の開口１１ａを塞ぐように、回動自在に設けられている。
【００１７】
モータ１２は、支持枠１１に固定され、歯車１２ａを有し、歯車１２ａは、除湿ロータ１０外周から突出した多数の歯１０ｃと接触する。モータ１２が駆動すると歯車１２ａが回転し、この歯車１２ａによって除湿ロータ１０も回転する。
【００１８】
再生ユニット８は、除湿ロータ１０における放湿領域１０ｂの一方側面（本体ケースにおける前面側）と、除湿ロータ１０における放湿領域１０ｂの他方側面（本体ケースにおける背面側）と連通する循環風路１３と、循環風路１３内に設けた、発熱部１４と、熱交換器１５と、循環送風機１６とを有する。
【００１９】
発熱部１４は、除湿ロータ１０における放湿領域１０ｂの一方側面（本体ケースにおける背面側）に配置されている。発熱部１４は、ニクロム線などの通電発熱する材料で構成され、発熱することにより除湿ロータ１０の放湿領域１０ｂにおいて、除湿ロータ１０から水分を放出させている。
【００２０】
熱交換器１５は、除湿ロータ１０の放湿領域１０ｂから放出した水分を含む再生空気と、送風機９が供給する室内空気とを熱交換して水分を凝縮する。熱交換器１５は、本体ケース１における前面と支持枠１１との間に、除湿ロータ１０と水平方向に隣り合うように配置されている。
【００２１】
循環送風機１６は、モータ１６ａと羽根車１６ｂを組み合わせた、いわゆるシロッコファンとして構成し、循環風路１３内で空気の循環を行っている。循環送風機１６は、循環風路１３における発熱部１４と熱交換器１５との間に配置されている。循環送風機１６から送風された空気は、発熱部１４、除湿ロータ１０における放湿領域１０ｂ、熱交換器１５を順次介して、循環送風機１６に吸い込まれる。
【００２２】
送風機９は、本体ケース１における背面と支持枠１１との間に配置されている。送風機９は、モータ部９ａと、モータ部９ａにより回転するファン部９ｂと、それらを囲むスクロール形状のケーシング部９ｃとを備えている。
【００２３】
モータ部９ａは、ケーシング部９ｃに固定されている。
【００２４】
ファン部９ｂは、シロッコファンで、モータ部９ａから水平方向に延びた回転軸（図示せず）に固定されている。モータ部９ａの回転軸は、本体ケース１の前面側から背面側に延びている。
【００２５】
ケーシング部９ｃには、吐出口１７と吸気口１８とが設けられている。吐出口１７は、ケーシング部９ｃの本体ケース１における上面側に設けられている。また、吸気口１８は、ケーシング部９ｃの本体ケース１における前面側に設けられている。ケーシング部９ｃは、モータ部９ａを固定し、吸気口１８が設けられた吸込面部分１９と、吸込面部分１９に対向した吸込対向面部分２０と、吸込面部分１９と吸込対向面部分２０とを連結するスクロール形状のスクロール面部分２１とを有している。モータ部９ａによって、ファン部９ｂが回転すると、ケーシング部９ｃの吸気口１８からケーシング部９ｃ内に空気が吸い込まれ、この吸い込まれた空気は、吐出口１７からケーシング部９ｃ外へ送風される。
【００２６】
本体ケース内には、除湿風路２２と、冷却風路２３と有している。
【００２７】
除湿風路２２は、本体ケース１の吸込口２と、除湿ロータ１０の吸湿領域１０ａと、送風機９とを連通する風路である。本体ケース１の吸込口２から吸い込んだ空気の水分は、除湿ロータ１０の吸湿領域１０ａで、除湿ロータ１０に吸着され、除湿される。冷却風路２３は、本体ケース１の吸込口２と、熱交換器１５と、送風機９とを連通する風路である。本体ケース１の吸込口２から吸い込んだ空気によって、熱交換器１５が冷却される。除湿風路２２と冷却風路２３とを通過したそれぞれの空気は、送風機９で混合され、吹出口４から本体ケース外へ送風される。
【００２８】
以上の構成における除湿動作について説明する。送風機９により吸込口２から室内空気を吸引し、除湿ロータ１０の吸湿領域１０ａに水分を吸湿させ、除湿された空気を乾燥空気として吹出口４から室内に送風する（除湿風路）。除湿ロータ１０に吸湿された水分は、除湿ロータ１０の回転駆動により放湿領域１０ｂに移動し、発熱部１４の加熱により循環風路１３に放出される。循環風路１３では循環送風機１６の送風により、除湿ロータ１０の放湿領域１０ｂから送出した高温多湿の空気は、熱交換器１５に送風される。熱交換器１５では循環風路１３と送風機９により本体ケース１内に吸引され、熱交換器１５を冷却する冷却風路２３とが熱交換を行い、循環風路１３の高温多湿空気は冷却され水分が凝縮し結露水として貯水部６に回収される。熱交換器１５を冷却し、温度が上昇した冷却風路２３の空気は、送風機９により、除湿風路２２の空気と混合され吹出口４から室内に送風される。このように、室内空気の除湿動作がなされている。
【００２９】
また、図４は本発明の実施の形態における除湿装置の垂直面における斜視断面図である。
【００３０】
図４に示すように、本実施形態における特徴は、放湿領域１０ｂと熱交換器１５とを連通する連通路２４に整流板２５を設けた点である。これにより、放湿領域１０ｂを通過した水分を多く含んだ空気は、連通路２４に設けられた整流板２５によって、整流され、熱交換器１５に流れ込み易くなる。更に、水分を多く含んだ空気が、整流板２５に接触することによって、整流されるときに、整流板２５で結露するので、除湿効率が向上する。
【００３１】
具体的には、整流板２５は、上下方向及び送風方向に延びた平板である。これにより、整流板２５で結露した水滴は、下方へ流れ落ちやすくなり、整流板２５での結露が、起こりやすくなる。
【００３２】
また、連通路２４は、四角筒形状であり、熱交換器１５より上方に配置されている。連通路２４は、除湿風路２２における本体ケース１の吸込口２と除湿ロータ１０の吸湿領域１０ａとの間に配置され、除湿風路２２の一部である。整流板２５は、連通路２４における下流側端部に上面と下面とを連結している。連通路２４は、本体ケース１の吸込口２に対向して配置されているので、連通路２４の下面には、吸込口２から吸い込まれた空気が当たる。このように、本体ケース１外の空気が、吸込口２を介して、連通路２４の下面に当たるので、連通路２４の下面が冷やされる。この冷やされた連通路２４の下面から延びた整流板２５も冷やされるので、整流板２５での結露が、起こりやすくなる。
【産業上の利用可能性】
【００３３】
家庭用や事務所用などの、除湿能力の高い除湿装置として活用が期待されるものである。
【符号の説明】
【００３４】
１    本体ケース
２    吸込口
３    操作部
４    吹出口
５      ルーバー
６    貯水部
７    除湿ロータ部
８    再生ユニット
９    送風機
９ａ    モータ部
９ｂ    ファン部
９ｃ    ケーシング部
１０    除湿ロータ
１０ａ    吸湿領域
１０ｂ    放湿領域
１０ｃ    歯
１１    支持枠
１１ａ    開口
１２    モータ
１２ａ    歯車
１３    循環風路
１４    発熱部
１５    熱交換器
１６    循環送風機
１６ａ    モータ
１６ｂ    羽根車
１７    吐出口
１８    吸気口
１９    吸込面部分
２０    吸込対向面部分
２１    スクロール面部分
２２    除湿風路
２３    冷却風路
２４    連通路
２５    整流板
【図１】
2019147118.tif 000003
【図２】
2019147118.tif 000004
【図３】
2019147118.tif 000005
【図４】
2019147118.tif 000006